(57)【要約】      （修正有）【課題】使い勝手の良好な便器装置を提供する。【解決手段】便器装置１２０は、起立状態と倒伏状態との間の中間状態で回動を停止する便座１２８及び便蓋１２９を備えている。好ましくは、手洗い吐水を検知する第１検知部３０と、便座１２８又は便蓋１２９の少なくともいずれかを起立状態と倒伏状態との間で回動させる駆動部と、を備え、第１検知部３０が手洗い吐水を検知した後に、便座１２８又は便蓋１２９の少なくともいずれかが駆動部によって起立状態から倒伏状態に向けて回動して、中間位置で回動を停止する。【選択図】図１１
2018053555.tif 000002
【特許請求の範囲】
【請求項１】
起立状態と倒伏状態との間の中間位置で回動を停止する便座又は便蓋の少なくともいずれかを備えていることを特徴とする便器装置。
【請求項２】
手洗い吐水を検知する第１検知部と、
前記便座又は前記便蓋の少なくともいずれかを前記起立状態と前記倒伏状態との間で回動させる駆動部と、を備え、
前記第１検知部が手洗い吐水を検知した後に、前記便座又は前記便蓋の少なくともいずれかが前記駆動部によって前記起立状態から前記倒伏状態に向けて回動して、前記中間位置で回動を停止することを特徴とする請求項１に記載の便器装置。
【請求項３】
使用者が手洗い吐水で手を洗う手洗い動作を検知する第２検知部と、
前記便座又は前記便蓋の少なくともいずれかを前記起立状態と前記倒伏状態との間で回動させる駆動部と、を備え、
前記第２検知部が前記使用者の手洗い動作を検知した後に、前記便座又は前記便蓋の少なくともいずれかが前記駆動部によって前記起立状態から前記倒伏状態に向けて回動して、前記中間位置で回動を停止することを特徴とする請求項１又は２に記載の便器装置。
【請求項４】
使用者が前記便座から離座したことを検知する第３検知部と、
前記便座又は前記便蓋の少なくともいずれかを前記起立状態と前記倒伏状態との間で回動させる駆動部と、を備え、
前記第３検知部が前記便座から前記使用者が離座したことを検知した後に、前記便蓋が前記駆動部によって前記起立状態から前記倒伏状態に向けて回動して、前記中間位置で回動を停止することを特徴とする請求項１乃至３のいずれか１項に記載の便器装置。
【請求項５】
手洗い吐水が終了したことを前記第１検知部が検知した後に、前記中間位置に位置する前記便座又は前記便蓋の少なくともいずれかが前記駆動部によって回動して、前記起立状態になることを特徴とする請求項２に記載の便器装置。
【請求項６】
前記使用者が前記手洗い吐水で手を洗う手洗い動作が終了したことを前記第２検知部が検知した後に、前記中間位置に位置する前記便座又は前記便蓋の少なくともいずれかが前記駆動部によって回動して、前記起立状態になることを特徴とする請求項３に記載の便器装置。
【請求項７】
前記使用者が前記便座に着座したことを前記第３検知部が検知した後に、前記中間位置に位置する前記便蓋が前記駆動部によって回動して、前記起立状態になることを特徴とする請求項４に記載の便器装置。
【発明の詳細な説明】
【技術分野】
【０００１】
本発明は便器装置に関するものである。
【背景技術】
【０００２】
特許文献１に開示された便器装置は、ロータンクの上部に手洗い装置が設けられている。この便器装置は手洗い装置からの吐水と蓋体の閉止とが連動することにより、手洗い装置で吐水しているときには蓋体が閉まるので、蓋体が邪魔にならずに使用者が手を洗うことができる。
【先行技術文献】
【特許文献】
【０００３】
【特許文献１】特許第５４６７４８８号公報
【発明の概要】
【発明が解決しようとする課題】
【０００４】
しかし、この便器装置は手洗い装置からの吐水に連動して蓋体が閉止するため、使用者が手洗い装置からの吐水で手を洗った後、再び用便する場合等に、蓋体を閉止した状態から開放した状態にしなければならない。このため、この便器装置は使い勝手が良好でない。
【０００５】
本発明は、上記従来の実情に鑑みてなされたものであって、使い勝手の良好な便器装置を提供することを解決すべき課題としている。
【課題を解決するための手段】
【０００６】
本発明の便器装置は、
起立状態と倒伏状態との間の中間位置で回動を停止する便座及び／又は便蓋を備えていることを特徴とする。
【０００７】
本発明の便器装置は、起立状態の便座又は便蓋の少なくともいずれかを中間位置で回動を停止することができる。例えば、便鉢の後側に設けられたケースの上端部に手洗い吐水装置が設けられている場合、起立状態の便座又は便蓋の少なくともいずれかを中間位置で回動を停止することによって、手洗い吐水装置から便座又は便蓋の少なくともいずれかを離すことができる。これにより、手洗い吐水装置で使用者が手を洗う空間を大きくすることができる。また、使用者が手洗い吐水装置で手を洗った後、再び用便したり、便鉢内の洗浄状態を確認したりする場合、中間位置に停止した便座又は便蓋の少なくともいずれかを起立状態にすることができる。つまり、倒伏状態の便座又は便蓋の少なくともいずれかを起立状態にするのに比べて、便座又は便蓋の少なくともいずれかを素早く起立状態にすることができる。
【０００８】
したがって、本発明の便器装置は使い勝手が良好である。
【図面の簡単な説明】
【０００９】
【図１】実施例１の便器装置を備えた水洗式便器の側面図である。
【図２】実施例１の便器装置の便座を上方からみた平面図である。
【図３】実施例１の便器装置の便蓋を上方からみた平面図である。
【図４】実施例１の図２における矢視Ｘ−Ｘ部の断面図であって、便座が倒伏状態の第２軸部及び第４支持部の状態と、便蓋が倒伏状態の第４軸部及び第３支持部との状態を示す。
【図５】実施例１の図２における矢視Ｘ−Ｘ部の断面図であって、便座が中間位置に位置した状態の第２軸部及び第４支持部の状態と、便蓋が中間位置に位置した状態の第４軸部及び第３支持部との状態を示す。
【図６】実施例１の図２における矢視Ｘ−Ｘ部の断面図であって、便座が起立状態の第２軸部及び第４支持部の状態と、便蓋が起立状態の第４軸部及び第３支持部との状態を示す。
【図７】実施例１の便器装置を備えた水洗式便器の側面図であって、便座を倒伏状態にして、便蓋を起立状態にした状態を示す。
【図８】実施例１の便器装置を備えた水洗式便器の側面図であって、便座を中間位置に位置した状態にして、便蓋を中間位置に位置した状態にした状態を示す。
【図９】実施例１の便器装置を備えた水洗式便器の側面図であって、便座及び便蓋を起立状態にした状態を示す。
【図１０】実施例１の便器装置を備えた水洗式便器の側面図であって、便座及び便蓋を中間位置に位置した状態にした状態を示す。
【図１１】実施例２の便器装置を備えた水洗式便器の側面図である。
【図１２】実施例２〜４の便器装置の便座を上方から見た平面図である。
【図１３】実施例２〜４の便器装置の便蓋を上方から見た平面図である。
【図１４】実施例３の便器装置を備えた水洗式便器の側面図である。
【図１５】実施例４の便器装置の便座を上方からみた平面図である。
【発明を実施するための形態】
【００１０】
本発明における好ましい実施の形態を説明する。
【００１１】
本発明の便器装置は、手洗い吐水を検知する第１検知部と、便座又は便蓋の少なくともいずれかを起立状態と倒伏状態との間で回動させる駆動部とを備え、第１検知部が手洗い吐水を検知した後に、便座又は便蓋の少なくともいずれかが駆動部によって起立状態から倒伏状態に向けて回動して、中間位置で回動を停止し得る。この場合、この便器装置は、第１検知部が手洗い吐水装置からの吐水を検知することによって、起立状態の便座又は便蓋の少なくともいずれかを中間位置で停止することができる。つまり、この便器装置は手洗い吐水装置からの吐水に基づいて、起立状態の便座又は便蓋の少なくともいずれかを中間位置で停止するため、手洗い吐水装置からの吐水が開始された初期段階から使用者が手を洗う空間を大きく形成することができる。
【００１２】
本発明の便器装置は、使用者が手洗い吐水で手を洗う手洗い動作を検知する第２検知部と、便座又は便蓋の少なくともいずれかを起立状態と倒伏状態との間で回動させる駆動部とを備え、第２検知部が使用者の手洗い動作を検知した後に、便座又は便蓋の少なくともいずれかが駆動部によって起立状態から倒伏状態に向けて回動して、中間位置で回動を停止し得る。この場合、この便器装置は、使用者の手洗い動作を第２検知部で検知することによって、起立状態の便座又は便蓋の少なくともいずれかを中間位置で停止することができる。これにより、使用者が手を洗わずに再び用便したり、便鉢内の洗浄状態を確認したりする場合、中間位置から便座又は便蓋の少なくともいずれかを起立状態にする手間を要しない。つまり、この便器装置は、使用者が手を洗う場合に便座又は便蓋の少なくともいずれかを中間位置に停止させることによって、使用者が再び用便したり、便鉢内の洗浄状態を確認したりする場合に備えて、便鉢の上方の空間を確保することができる。
【００１３】
本発明の便器装置は、使用者が便座から離座したことを検知する第３検知部と、便座又は便蓋の少なくともいずれかを起立状態と倒伏状態との間で回動させる駆動部とを備え、第３検知部が便座から使用者が離座したことを検知した後に、便蓋が駆動部によって起立状態から倒伏状態に向けて回動して、中間位置で回動を停止し得る。この場合、この便器装置は、使用者が便座から離座したことを第３検知部で検知することによって、起立状態の便座又は便蓋の少なくともいずれかを中間位置で停止することができる。例えば、便鉢の後側に設けられたケースの上端部に設けられた手洗い吐水装置で使用者が手を洗う場合、起立状態の便座又は便蓋の少なくともいずれかを中間位置で回動を停止することによって、手洗い吐水装置から便座又は便蓋の少なくともいずれかを離すことができる。これにより、この便器装置は手洗い吐水装置で使用者が手を洗う空間を大きくすることができる。
【００１４】
本発明の便器装置は、手洗い吐水が終了したことを第１検知部が検知した後に、中間位置に位置する便座又は便蓋の少なくともいずれかが駆動部によって回動して、起立状態になり得る。この場合、この便器装置は手洗い吐水装置からの吐水に基づいて、中間位置に位置する便座又は便蓋の少なくともいずれかを起立状態にするため、手洗い吐水装置からの吐水が開始されて終了するまで、使用者が手を洗う空間を大きくすることができる。これにより、この便器装置は手洗い吐水装置の機能の使い勝手を良好にすることができる。
【００１５】
本発明の便器装置は、使用者が手洗い吐水で手を洗う手洗い動作が終了したことを第２検知部が検知した後に、中間位置に位置する便座又は便蓋の少なくともいずれかが駆動部によって回動して、起立状態になり得る。この場合、この便器装置は使用者の手洗い動作を第２検知部で検知することによって、中間位置に位置する便座又は便蓋の少なくともいずれかを起立状態にする。つまり、この便器装置は使用者が手を洗う場合にのみ便座又は便蓋の少なくともいずれかを中間位置に停止させることができる。このため、手洗い吐水装置で使用者が手を洗った後、再び用便したり、便鉢内の洗浄状態を確認したりする場合に備えて、便鉢の上方の空間を確保することができる。
【００１６】
本発明の便器装置は、使用者が便座に着座したことを第３検知部が検知した後に、中間位置に位置する便蓋が駆動部によって回動して、起立状態になり得る。この場合、この便器装置は、使用者が便座に着座したことを第３検知部で検知することによって、中間位置に位置する便蓋を起立状態にすることができる。これにより、便鉢の後側に設けられたケースの上端部に手洗い吐水装置設けられている場合、使用者が再び手を洗う場合に備えて、使用者が手を洗う空間をより長時間確保することができる。
【００１７】
次に、本発明の便器装置を備えた水洗式便器を具体化した実施例１〜４について、図面を参照しつつ説明する。
【００１８】
＜実施例１＞
実施例１の水洗式便器は、図１に示すように、便器本体１０及び便器装置２０を備えている。便器本体１０は、便鉢１１、便鉢１１の下流側に連通する便器排水路１２、及び後部空間１３を有している。また、便器排水路１２の下流側には、水洗式便器を設置した設置面に設けられた排水管の上流端が連通して接続されている（図示せず。）。後部空間１３は、便器本体１０の上側（上下は、図１における上側下側である。以下同じ。）で、便鉢１１の後側（前後は、図１における右側左側である。以下同じ）に便鉢１１に隣り合い設けられている。後部空間１３は吐水路を介して便鉢１１の表面に連通している（図示せず。）。
【００１９】
便器装置２０は、ケース２１、手洗い鉢２２、洗浄スイッチ２３、タンク２４、吐水部２５、給水路２６、制御部２７、便座２８、及び便蓋２９を有している。ケース２１は便器本体１０の上面の後部に取り付けられている。ケース２１は、便器本体１０の上面の左右両端（左右は、図１における手前側奥側である。以下同じ）から上方向に伸びる左右側壁２１Ａ、左右側壁２１Ａの前端を繋ぎ上下方向に伸びる前壁２１Ｂ、及び便器本体１０の上面の後端から上方向に伸びて、左右側壁２１Ａの後端を繋ぐ後壁２１Ｃを有している。また、前壁２１Ｂの下部には、左右方向の寸法が左右側壁２１Ａの間の寸法より小さい支持部本体２１Ｄが前方向に突出して設けられている。また、図２、３に示すように、支持部本体２１Ｄの右側には第１支持部２１Ｅ、及び第２支持部２１Ｆが設けられており、支持部本体２１Ｄの左側には第３支持部２１Ｇ、及び第４支持部２１Ｈが設けられている。第１支持部２１Ｅ、及び第２支持部２１Ｆは円筒状をなしており、支持部本体２１Ｄの内側と外側とを連通して、支持部本体２１Ｄの右端面から左方向に伸びている。第２支持部２１Ｆは第１支持部２１Ｅに対して前側の下方に位置している。
【００２０】
第３支持部２１Ｇは、図４〜６に示すように、円筒状をなしており、支持部本体２１Ｄの内側と外側とを連通して、支持部本体２１Ｄの左端面から右方向に伸びている。第３支持部２１Ｇと第１支持部２１Ｅとは互いに同軸である。第３支持部２１Ｇは、中心軸方向に伸びて円筒状の内側と外側とに貫通した一対の第１スリット２１Ｊ、及び一対の第２スリット２１Ｋが設けられている。一対の第１スリット２１Ｊは第３支持部２１Ｇの円柱状の中心軸を挟んでいる。また、一対の第２スリット２１Ｋも第３支持部２１Ｇの円柱状の中心軸を挟んでいる。
【００２１】
これら一対の第１スリット２１Ｊ、及び一対の第２スリット２１Ｋのそれぞれには、円柱状をなした第２平行ピン２１Ｌが円柱状の中心軸を第１スリット２１Ｊ及び第２スリット２１Ｋが伸びる方向に合わせて嵌め込まれている。また、これら第２平行ピン２１Ｌは第３支持部２１Ｇの円筒状の外周面より外方向と、円筒状の内周面より内方向とに突出している。また、一対の第１スリット２１Ｊに嵌め込まれた第２平行ピン２１Ｌはそれぞれの中心軸が第３支持部２１Ｇの円柱状の中心軸の前側の下方と、後側の上方とに配置されている。また、一対の第２スリット２１Ｋに嵌め込まれた第２平行ピン２１Ｌはそれぞれの中心軸の上下方向の位置が第３支持部２１Ｇの円柱状の中心軸の上下方向の位置とほぼ同じである。
【００２２】
また、第３支持部２１Ｇの外周面の外側には、周方向の一部が切り取られた円筒状をなした第１板バネ２１Ｍが設けられている。第１板バネ２１Ｍの中心軸は第３支持部２１Ｇの中心軸に同軸である。円筒状の第１板バネ２１Ｍは内周面を第３支持部２１Ｇの円筒状の外周面より外方向に突出した第２平行ピン２１Ｌの円柱状の外周面に当接している。また、第１板バネ２１Ｍは第３支持部２１Ｇの中心軸に向けて第１弾性力を発生している。この第１弾性力が第２平行ピン２１Ｌに付与されている。第１板バネ２１Ｍは第３支持部２１Ｇに対して、位置がずれない構成となっている（図示せず。）。
【００２３】
第４支持部２１Ｈは第３支持部２１Ｇと同様の構成であるため、図４〜６を参照して説明する。第４支持部２１Ｈは円筒状をなしており、支持部本体２１Ｄの内側と外側とを連通して、支持部本体２１Ｄの左端面から右方向に伸びている。第４支持部２１Ｈと第２支持部２１Ｆとは互いに同軸である。第４支持部２１Ｈは第３支持部２１Ｇに対して前側の下方に位置している。第４支持部２１Ｈは、中心軸方向に伸びて円筒状の内側と外側とに貫通した一対の第３スリット２１Ｎ、及び一対の第４スリット２１Ｐが設けられている。一対の第３スリット２１Ｎは第４支持部２１Ｈの円柱状の中心軸を挟んでいる。また、一対の第４スリット２１Ｐも第４支持部２１Ｈの円柱状の中心軸を挟んでいる。
【００２４】
これら一対の第３スリット２１Ｎ、及び一対の第４スリット２１Ｐのそれぞれには、円柱状をなした第４平行ピン２１Ｑが円柱状の中心軸を第３スリット２１Ｎ及び第４スリット２１Ｐが伸びる方向に合わせて嵌め込まれている。また、これら第４平行ピン２１Ｑは第４支持部２１Ｈの円筒状の外周面より外方向と、円筒状の内周面より内方向とに突出している。また、一対の第３スリット２１Ｎに嵌め込まれた第４平行ピン２１Ｑはそれぞれの中心軸が第４支持部２１Ｈの円柱状の中心軸の前側の下方と、後側の上方とに配置されている。また、一対の第４スリット２１Ｐに嵌め込まれた第４平行ピン２１Ｑはそれぞれの中心軸の上下方向の位置が第４支持部２１Ｈの円柱状の中心軸の上下方向の位置とほぼ同じである。
【００２５】
また、第４支持部２１Ｈの外側には、周方向の一部が切り取られた円筒状をなした第２板バネ２１Ｒが設けられている。第２板バネ２１Ｒの中心軸は第４支持部２１Ｈの中心軸に同軸である。円筒状の第２板バネ２１Ｒは内周面を第４支持部２１Ｈの円筒状の外周面より外方向に突出した第４平行ピン２１Ｑの円柱状の外周面に当接している。また、第２板バネ２１Ｒは第４支持部２１Ｈの中心軸に向けて第２弾性力を発生している。この第２弾性力が第４平行ピン２１Ｑに付与されている。第２板バネ２１Ｒは第４支持部２１Ｈに対して、位置がずれない構成となっている（図示せず。）。
【００２６】
手洗い鉢２２は、下方向に窪んだ椀状をなしており、左右側壁２１Ａ、前壁２１Ｂ、及び後壁２１Ｃで囲まれたケース２１の上端部内に配置され、椀状の上端縁が左右側壁２１Ａ、前壁２１Ｂ、及び後壁２１Ｃの上端縁に連続している。また、椀状の手洗い鉢２２の底の中央部には上下方向に開口した開口部２２Ａが形成されている。また、開口部２２Ａの下側には開口部２２Ａに連通して、開口部２２Ａから下方向に筒状をなして伸びる連通路２２Ｂが連通して設けられている。
【００２７】
洗浄スイッチ２３は、ケース２１の右側壁の上部に設けられている。洗浄スイッチ２３は後述する制御部２７に電気的に接続されている。洗浄スイッチ２３は使用者が操作すると、使用者の操作に応じた信号を制御部２７に与えることができる。
【００２８】
タンク２４は平板状の上壁２４Ａ、及び平板状の下壁２４Ｂを具備した直方体状をなして、ケース２１に収納されている。タンク２４は内部の空間に洗浄水を貯蔵することができる。タンク２４の上壁２４Ａの中央部には上壁２４Ａの板厚方向に貫通して開口した流入口２４Ｃが設けられている。また、流入口２４Ｃには手洗い鉢２２の連通路２２Ｂが連通している。また、タンク２４の下壁２４Ｂの中央部には下壁２４Ｂの板厚方向に貫通して開口した流出口２４Ｄが設けられている。また、流出口２４Ｄはタンク２４内に設けられたフロート弁２４Ｅによって閉鎖されている。また、フロート弁２４Ｅは玉鎖２４Ｆを介して引上げ装置に連結されている（図示せず）。引上げ装置は後述する制御部２７と電気的に接続されており、制御部２７から玉鎖２４Ｆを引き上げる引上げ信号、又は玉鎖２４Ｆを繰り出す繰り出し信号が与えられる。これにより、フロート弁２４Ｅを動作させてタンク２４の流出口２４Ｄを開放したり閉鎖したりすることができる。また、流出口２４Ｄは便器本体１０の後部空間１３に連通している。
【００２９】
吐水部２５は手洗い鉢２２の外周縁の後側の上端から前方に突出して設けられている。吐水部２５は内部が中空に形成されており、先端部の下側に下方向に向けて貫通して開口する吐水口２５Ａが設けられている。この便器装置２０は吐水部２５及び手洗い鉢２２によって手洗い吐水装置Ｓが構成されている。給水路２６は管状をなして伸びており、一端部が吐水部２５の内側に配置されて、一端が吐水口２５Ａに連通している。また、給水路２６の他端には上水の供給口が連結されている（図示せず。）。また、給水路２６の中間部には、ボールタップ２６Ａが設けられている。ボールタップ２６Ａのフロート２６Ｂはタンク２４内に配置されており、タンク２４内の洗浄水の量に応じて給水路２６を開閉することができる。
【００３０】
制御部２７は様々な電子部品が実装された電気基板である。制御部２７はケース２１内のタンク２４の前側に配置されている。制御部２７は、洗浄スイッチ２３から使用者の操作に応じた信号が与えられると、引上げ装置を駆動して玉鎖２４Ｆを引き上げたり繰り出したりして、フロート弁２４Ｅを動作させ、タンク２４の流出口２４Ｄを開放したり閉鎖したりすることができる。
【００３１】
便座２８は、図２に示すように、左右方向に幅を有し、前後方向に伸びて形成されており、前側が弧状に形成されている。便座２８はケース２１の支持部本体２１Ｄの前側に後端が隣り合い、前方向に向けて伸びている。また、便座２８は便鉢１１の上方に位置する部分に上下方向に貫通して開口部２８Ａが設けられている。開口部２８Ａは前後方向に長いほぼ楕円形状をなしている。開口部２８Ａは前側の曲率が後側の曲率よりも大きく形成されている。
【００３２】
便座２８の後端部の左右両側のそれぞれには、後方に伸びた一対の第１ヒンジ部２８Ｂが形成されている。また、右側の第１ヒンジ部２８Ｂには、円柱状をなした第１軸部２８Ｃが左方向に伸びて設けられ、左側の第１ヒンジ部２８Ｂには、円柱状をなした第２軸部２８Ｄが右方向に伸びて設けられている。第１軸部２８Ｃと第２軸部２８Ｄとは互いに同軸である。第１軸部２８Ｃはケース２１の第２支持部２１Ｆに回動自在に挿通されている。
【００３３】
第２軸部２８Ｄは、図４〜６に示すように、円柱状の外周面に円柱状の中心軸方向に伸びて、円柱状の中心軸に向けて窪んだ一対の第１溝２８Ｅが設けられている。一対の第１溝２８Ｅは第２軸部２８Ｄの円柱状の中心軸を挟んでいる。また、一対の第１溝２８Ｅには、円柱状をなした一対の第１平行ピン２８Ｆが円柱状の中心軸を一対の第１溝２８Ｅが伸びる方向に合わせて嵌め込まれている。一対の第１平行ピン２８Ｆは外周面が第２軸部２８Ｄの円柱状の外周面より外方向に突出している。また、一対の第１平行ピン２８Ｆはそれぞれの中心軸が第２軸部２８Ｄの円柱状の中心軸のほぼ直上と直下とに配置されている。こうして形成された第２軸部２８Ｄはケース２１の円筒状の第４支持部２１Ｈの内周面の上端部及び下端部に一対の第１平行ピン２８Ｆのそれぞれの外周面を当接して挿通されている。また、円柱状の第２軸部２８Ｄの外周面には、第２板バネ２１Ｒの第２弾性力が付与された第４平行ピン２１Ｑの円柱状の外周面が当接して押し付けられている。
【００３４】
次に、便座２８を第１軸部２８Ｃ及び第２軸部２８Ｄの中心軸周りに回動させて、便器本体１０の上側に伏した倒伏状態（以降、倒伏状態という）から中間位置に位置する状態及び便器本体１０の上側から立ち上がった起立状態（以降、起立状態という）にする場合の、第２軸部２８Ｄ、及びケース２１の支持部本体２１Ｄの第４支持部２１Ｈの動作を図４〜６を参照しつつ説明する。ここで、中間位置に位置する状態とは、便座２８が倒伏状態と起立状態との間に位置する状態であり、以降、中間状態という。また、中間状態の便座２８の先端（第１軸部２８Ｃ、及び第２軸部２８Ｄから最も離れた部分）の前後方向の位置はケース２１の前壁２１Ｂの上端より前方に位置している（図１０参照。）。また、起立状態の便座２８は、先端の前後方向の位置がケース２１の前壁２１Ｂの上端より後方に位置しており、先端の前後方向の位置が最も後に位置した状態である（図９参照。）。つまり、起立状態の便座２８とは、便座２８が全開した状態である。また、倒伏状態の便座２８に対する中間状態の便座２８の角度（重心角度）は４５度以上が好ましく、さらに好ましくは６０度以上である。また、手洗い吐水装置Ｓに使用者が手を入れる空間を確保するには、９０度以下であることが好ましい（図１参照。）。
【００３５】
便座２８が倒伏状態の場合、図４に示すように、円筒状の第４支持部２１Ｈの内周面の上端及び下端には第２軸部２８Ｄの一対の第１平行ピン２８Ｆのそれぞれの外周面が当接している。また、第２板バネ２１Ｒの第２弾性力が付与された第４平行ピン２１Ｑは、円柱状の外周面が第２軸部２８Ｄの外周面に当接して押し付けられている。
【００３６】
次に、便座２８を第１軸部２８Ｃ及び第２軸部２８Ｄの中心軸周りに回動させて、倒伏状態から中間状態にする。このとき、図５に示すように、第２軸部２８Ｄは矢印Ａ方向に回動する。このとき、第２軸部２８Ｄの一対の第１平行ピン２８Ｆは、円筒状の第４支持部２１Ｈの内周面を摺動しつつ矢印Ａ方向に移動する。そして、一対の第１平行ピン２８Ｆが、第４支持部２１Ｈの一対の第３スリット２１Ｎの一対の第２平行ピン２１Ｌにそれぞれが当接する。このとき、一対の第３スリット２１Ｎの第４平行ピン２１Ｑには第２板バネ２１Ｒの第２弾性力が付与されているため、第２軸部２８Ｄを回動させて、一対の第１平行ピン２８Ｆが一対の第３スリット２１Ｎの一対の第４平行ピン２１Ｑを第２軸部２８Ｄの中心軸から離れる方向に押す第１対抗力（以降、第１対抗力という。）の大きさが第２弾性力の大きさより小さい場合、便座２８は矢印Ａ方向に回動しない。
【００３７】
そして、便座２８に矢印Ａ方向にさらに大きな力を加える。すると、第１対抗力の大きさが大きくなる。そして、第１対抗力の大きさが第２弾性力の大きさより大きくなると、第１平行ピン２８Ｆの外周面に外周面が当接した一対の第３スリット２１Ｎの一対の第４平行ピン２１Ｑは、第１平行ピン２８Ｆの外周面を摺動して、第２板バネ２１Ｒを拡径しつつ第２軸部２８Ｄの中心軸から離れる方向に移動する。そして、一対の第１平行ピン２８Ｆが一対の第３スリット２１Ｎの一対の第４平行ピン２１Ｑと第２軸部２８Ｄの中心軸との間を通過する。すると、第１平行ピン２８Ｆの外周面に外周面が当接した一対の第３スリット２１Ｎの一対の第４平行ピン２１Ｑは、一対の第１平行ピン２８Ｆの外周面を摺動して、円柱状の外周面が第２軸部２８Ｄの外周面に再び当接する。また、拡径していた第２板バネ２１Ｒも一対の第３スリット２１Ｎの一対の第４平行ピン２１Ｑが第２軸部２８Ｄの外周面に再び当接するのに合わせて縮径する。このとき、便座２８を矢印Ｂ方向に回動させようとしても、第１対抗力の大きさが第２弾性力の大きさより小さい場合、便座２８が回動することはない。こうして、便座２８の位置を中間状態にすることができる。また、便座２８を中間状態から倒伏状態にする場合、第１対抗力の大きさを第２弾性力の大きさより大きくなるように便座２８に矢印Ｂ方向に力を加えることによって、矢印Ｂ方向に回動させることができる。つまり、この便器装置２０は起立状態と倒伏状態との間の中間状態で回動を停止する便座２８を備えている。
【００３８】
次に、便座２８を第１軸部２８Ｃ及び第２軸部２８Ｄの中心軸周りに回動させて、中間状態から起立状態にする。このとき、図６に示すように、第２軸部２８Ｄは矢印Ａ方向に回動する。このとき、第２軸部２８Ｄの一対の第１平行ピン２８Ｆは、円筒状の第４支持部２１Ｈの内周面を摺動しつつ矢印Ａ方向に移動する。そして、一対の第１平行ピン２８Ｆが、第４支持部２１Ｈの一対の第４スリット２１Ｐの一対の第４平行ピン２１Ｑにそれぞれが当接する。このとき、一対の第４スリット２１Ｐの第４平行ピン２１Ｑには第２板バネ２１Ｒの第２弾性力が付与されているため、第１対抗力の大きさが第２弾性力の大きさより小さい場合、便座２８は矢印Ａ方向に回動しない。
【００３９】
そして、便座２８に矢印Ａ方向にさらに大きな力を加える。すると、第１対抗力の大きさが大きくなる。そして、第１対抗力の大きさが第２弾性力の大きさより大きくなると、第１平行ピン２８Ｆの外周面に外周面が当接した一対の第４スリット２１Ｐの一対の第４平行ピン２１Ｑは、第１平行ピン２８Ｆの外周面を摺動して、第２板バネ２１Ｒを拡径しつつ第２軸部２８Ｄの中心軸から離れる方向に移動する。そして、一対の第１平行ピン２８Ｆが一対の第４スリット２１Ｐの一対の第４平行ピン２１Ｑと第２軸部２８Ｄの中心軸との間を通過する。すると、第１平行ピン２８Ｆの外周面に外周面が当接した一対の第４スリット２１Ｐの一対の第４平行ピン２１Ｑは、第１平行ピン２８Ｆの外周面を摺動して、円柱状の外周面が第２軸部２８Ｄの外周面に再び当接する。また、拡径していた第２板バネ２１Ｒも一対の第４スリット２１Ｐの一対の第４平行ピン２１Ｑが第２軸部２８Ｄの外周面に再び当接するのに合わせて縮径する。このとき、便座２８を矢印Ｂ方向に回動させようとしても、第１対抗力の大きさが第２弾性力の大きさより小さい場合、便座２８が回動することはない。こうして、便座２８を起立状態にすることができる。また、便座２８を起立状態から、中間状態又は倒伏状態にする場合、第１対抗力の大きさを第２弾性力の大きさより大きくなるように便座２８に矢印Ｂ方向に力を加えることによって、矢印Ｂ方向に回動させることができる。
【００４０】
便蓋２９は、図３に示すように、上面部２９Ａ、側面部２９Ｂ、及び一対の第２ヒンジ部２９Ｃを有している。上面部２９Ａは、左右方向に幅を有し、前後方向に伸びて形成されており、前端部が左右両側から左右中央に向けて湾曲した弧状に形成されている。側面部２９Ｂは、便蓋が便器本体１０の上側に伏した倒伏状態において、上面部２９Ａの左右縁部及び前縁部から垂下した帯状に形成されている。便蓋２９は、便座２８及び便蓋２９を倒伏状態にすると、便座２８及び便器本体１０の上面を上方から覆うことができる。
【００４１】
一対の第２ヒンジ部２９Ｃはそれぞれが便蓋２９の後端部の左右両側のそれぞれに後方に伸びて形成されている。また、右側の第２ヒンジ部２９Ｃには、円柱状をなした第３軸部２９Ｄが左方向に伸びて設けられ、左側の第２ヒンジ部２９Ｃには、円柱状をなした第４軸部２９Ｅが右方向に伸びて設けられている。第３軸部２９Ｄと第４軸部２９Ｅとは互いに同軸である。第３軸部２９Ｄはケース２１の第１支持部２１Ｅに回動自在に挿通されている。
【００４２】
第４軸部２９Ｅは第２軸部２８Ｄと同様の構成であるため、図４〜６を参照して説明する。第４軸部２９Ｅは、円柱状の外周面に円柱状の中心軸方向に伸びて、円柱状の中心軸に向けて窪んだ一対の第２溝２９Ｆが設けられている。一対の第２溝２９Ｆは第４軸部２９Ｅの円柱状の中心軸を挟んでいる。また、一対の第２溝２９Ｆには、円柱状をなした一対の第３平行ピン２９Ｇが円柱状の中心軸を第２溝２９Ｆが伸びる方向に合わせて嵌め込まれている。一対の第３平行ピン２９Ｇは外周面が第４軸部２９Ｅの円柱状の外周面より外方向に突出している。また、一対の第３平行ピン２９Ｇはそれぞれの中心軸が第４軸部２９Ｅの円柱状の中心軸のほぼ直上と直下とに配置されている。こうして形成された第４軸部２９Ｅはケース２１の円筒状の第３支持部２１Ｇの内周面の上端及び下端に一対の第３平行ピン２９Ｇのそれぞれの外周面を当接して挿通されている。また、円柱状の第４軸部２９Ｅの外周面には、第１板バネ２１Ｍの第１弾性力が付与された第２平行ピン２１Ｌの円柱状の外周面が当接して押し付けられている。
【００４３】
次に、便蓋２９を第３軸部２９Ｄ及び第４軸部２９Ｅの中心軸周りに回動させて、倒伏状態から中間状態及び起立状態にする場合の、第４軸部２９Ｅ、及びケース２１の支持部本体２１Ｄの第３支持部２１Ｇの動作を図４〜６を参照しつつ説明する。ここで、中間状態とは、便蓋２９が倒伏状態と起立状態との間に位置する状態である。また、中間状態の便蓋２９の先端（第３軸部２９Ｄ、及び第４軸部２９Ｅから最も離れた部分）の前後方向の位置はケース２１の前壁２１Ｂの上端より前方に位置している（図１０参照。）。また、起立状態の便蓋２９は、先端の前後方向の位置がケース２１の前壁２１Ｂの上端より後方に位置しており、先端の前後方向の位置が最も後に位置した状態である（図９参照。）。つまり、起立状態の便蓋２９とは、便蓋２９が全開した状態である。また、倒伏状態の便蓋２９に対する中間状態の便蓋２９の角度（重心角度）は４５度以上が好ましく、さらに好ましくは６０度以上である。また、手洗い吐水装置Ｓに使用者が手を入れる空間を確保するには、９０度以下であることが好ましい（図１参照。）。
【００４４】
便蓋２９が倒伏状態の場合、図４に示すように、円筒状の第３支持部２１Ｇの内周面の上端及び下端には第４軸部２９Ｅの一対の第３平行ピン２９Ｇのそれぞれの外周面が当接している。また、第１板バネ２１Ｍの第１弾性力が付与された一対の第２平行ピン２１Ｌは、円柱状の外周面が第４軸部２９Ｅの外周面に当接して押し付けられている。
【００４５】
次に、便蓋２９を第３軸部２９Ｄ及び第４軸部２９Ｅの中心軸周りに回動させて、倒伏状態から中間状態にする。このとき、図５に示すように、第４軸部２９Ｅは矢印Ａ方向に回動する。このとき、第４軸部２９Ｅの一対の第３平行ピン２９Ｇは、円筒状の第３支持部２１Ｇの内周面を摺動しつつ矢印Ａ方向に移動する。そして、一対の第３平行ピン２９Ｇが、第３支持部２１Ｇの一対の第１スリット２１Ｊの一対の第２平行ピン２１Ｌにそれぞれが当接する。このとき、一対の第１スリット２１Ｊの第２平行ピン２１Ｌには第１板バネ２１Ｍの第１弾性力が付与されているため、第４軸部２９Ｅを回動させて、第３平行ピン２９Ｇが一対の第１スリット２１Ｊの一対の第２平行ピン２１Ｌを第４軸部２９Ｅの中心軸から離れる方向に押す第２対抗力（以降、第２対抗力という。）の大きさが第１弾性力の大きさより小さい場合、便蓋２９は矢印Ａ方向に回動しない。
【００４６】
そして、便蓋２９に矢印Ａ方向にさらに大きな力を加える。すると、第２対抗力の大きさが大きくなる。そして、第２対抗力の大きさが第１弾性力の大きさより大きくなると、第３平行ピン２９Ｇの外周面に外周面が当接した一対の第１スリット２１Ｊの一対の第２平行ピン２１Ｌは、第３平行ピン２９Ｇの外周面を摺動して、第１板バネ２１Ｍを拡径しつつ第４軸部２９Ｅの中心軸から離れる方向に移動する。そして、一対の第３平行ピン２９Ｇが一対の第１スリット２１Ｊの一対の第２平行ピン２１Ｌと第４軸部２９Ｅの中心軸との間を通過する。すると、第３平行ピン２９Ｇの外周面に外周面が当接した一対の第１スリット２１Ｊの一対の第２平行ピン２１Ｌは、第３平行ピン２９Ｇの外周面を摺動して、円柱状の外周面が第４軸部２９Ｅの外周面に再び当接する。また、拡径していた第１板バネ２１Ｍも一対の第１スリット２１Ｊの一対の第２平行ピン２１Ｌが第４軸部２９Ｅの外周面に再び当接するのに合わせて縮径する。このとき、便蓋２９を矢印Ｂ方向に回動させようとしても、第２対抗力の大きさが第１弾性力の大きさより小さい場合、便蓋２９が回動することはない。こうして、便蓋２９の位置を中間状態にすることができる。また、便蓋２９を中間状態から倒伏状態にする場合、第２対抗力の大きさを第１弾性力の大きさより大きくなるように便蓋２９に矢印Ｂ方向に力を加えることによって、矢印Ｂ方向に回動させることができる。つまり、この便器装置２０は起立状態と倒伏状態との間の中間状態で回動を停止する便蓋２９を備えている。
【００４７】
次に、便蓋２９を第３軸部２９Ｄ及び第４軸部２９Ｅの中心軸周りに回動させて、中間状態から起立状態にする。このとき、図６に示すように、第４軸部２９Ｅは矢印Ａ方向に回動する。このとき、第４軸部２９Ｅの一対の第３平行ピン２９Ｇは、円筒状の第３支持部２１Ｇの内周面を摺動しつつ矢印Ａ方向に移動する。そして、一対の第３平行ピン２９Ｇが、第３支持部２１Ｇの一対の第２スリット２１Ｋの一対の第２平行ピン２１Ｌにそれぞれが当接する。このとき、一対の第２スリット２１Ｋの一対の第２平行ピン２１Ｌには第１板バネ２１Ｍの第１弾性力が付与されているため、第２対抗力の大きさが第１弾性力の大きさより小さい場合、便蓋２９は矢印Ａ方向に回動しない。
【００４８】
そして、便蓋２９に矢印Ａ方向にさらに大きな力を加える。すると、第２対抗力の大きさが大きくなる。そして、第２対抗力の大きさが第１弾性力の大きさより大きくなると、第３平行ピン２９Ｇの外周面に外周面が当接した一対の第２スリット２１Ｋの一対の第２平行ピン２１Ｌは、第３平行ピン２９Ｇの外周面を摺動して、第１板バネ２１Ｍを拡径しつつ第４軸部２９Ｅの中心軸から離れる方向に移動する。そして、一対の第３平行ピン２９Ｇが一対の第２スリット２１Ｋの一対の第２平行ピン２１Ｌと第４軸部２９Ｅの中心軸との間を通過する。すると、第３平行ピン２９Ｇの外周面に外周面が当接した一対の第２スリット２１Ｋの一対の第２平行ピン２１Ｌは、第３平行ピン２９Ｇの外周面を摺動して、円柱状の外周面が第４軸部２９Ｅの外周面に再び当接する。また、拡径していた第１板バネ２１Ｍも一対の第２スリット２１Ｋの一対の第２平行ピン２１Ｌが第４軸部２９Ｅの外周面に再び当接するのに合わせて縮径する。このとき、便蓋２９を矢印Ｂ方向に回動させようとしても、第２対抗力の大きさが第１弾性力の大きさより小さい場合、便蓋２９が回動することはない。こうして、便蓋２９を起立状態にすることができる。また、便蓋２９を起立状態から中間状態又は倒伏状態にする場合、第２対抗力の大きさを第１弾性力の大きさより大きくなるように便蓋２９に矢印Ｂ方向に力を加えることによって、矢印Ｂ方向に回動させることができる。
【００４９】
次に、この水洗式便器の動作について、図１、７、８等を参照しつつ説明する。
【００５０】
先ず、使用者が倒伏状態の便蓋２９に手を掛けて便蓋２９を第３軸部２９Ｄ及び第４軸部２９Ｅの中心軸周りに回動させて便蓋２９を起立状態にする（図７参照。）。そして、便座２８に着座して用便した後、便座２８から離座する。そして、使用者が洗浄スイッチ２３を操作する。すると、洗浄スイッチ２３から制御部２７に使用者の操作に応じた信号が与えられる。すると、制御部２７から引上げ装置に玉鎖２４Ｆを引き上げる引上げ信号が与えられる。これにより、タンク２４の流出口２４Ｄを閉鎖していたフロート弁２４Ｅが動作して、タンク２４の流出口２４Ｄが開放される。すると、タンク２４内に貯蔵された洗浄水が、タンク２４の流出口２４Ｄから便器本体１０の後部空間１３に流入し、吐水路を介して便鉢１１の表面側に流入する。こうして、便鉢１１を洗浄することができる。この後、制御部２７から引上げ装置に玉鎖２４Ｆを繰り出す繰り出し信号が与えられる。すると、フロート弁２４Ｅがタンク２４の流出口２４Ｄを開放した状態を維持しつつ、引上げ装置から玉鎖２４Ｆが繰り出される。
【００５１】
便鉢１１の洗浄が進み、タンク２４内に貯蔵された洗浄水の量が減少する。すると、給水路２６のボールタップ２６Ａのフロート２６Ｂがタンク２４内に貯蔵された洗浄水の量が減少するのに合わせて下降する。すると、給水路２６が開き、上水の供給口から給水路２６に洗浄水が供給される。そして、上水の供給口から給水路２６に供給された洗浄水は吐水部２５の吐水口２５Ａを介して手洗い鉢２２に吐水される。そして、使用者が起立状態の便蓋２９に手を掛けて、便蓋２９を第３軸部２９Ｄ及び第４軸部２９Ｅの中心軸周りに回動させて中間状態にする（図８参照。）。そして、吐水部２５の吐水口２５Ａから手洗い鉢２２に吐水される洗浄水で使用者が手を洗うことができる。また、吐水部２５の吐水口２５Ａから手洗い鉢２２に吐水される洗浄水は、手洗い鉢２２の連通路２２Ｂ及びタンク２４の流入口２４Ｃを介してタンク２４内に流入してタンク２４内に貯蔵される。また、使用者が、再び用便したり、便鉢１１内の洗浄状態を確認したりする場合、中間状態の便蓋２９に手を掛けて、便蓋２９を第３軸部２９Ｄ及び第４軸部２９Ｅの中心軸周りに回動させて起立状態にすることができる（図７参照。）。また、この説明では、便蓋２９のみを回動させているが、便蓋２９とともに便座２８も倒伏状態から中間状態、又は起立状態に回動させることもできる（図９、１０参照。）。
【００５２】
そして、タンク２４内の洗浄水の量が所定の量より少なくなると、開放されたタンク２４の流出口２４Ｄをフロート弁２４Ｅが再び閉鎖する。すると、タンク２４内に貯蔵された洗浄水の便器本体１０の後部空間１３への流入が止まり、便鉢１１の洗浄が終了する。
【００５３】
そして、吐水部２５の吐水口２５Ａから手洗い鉢２２に吐水された洗浄水がタンク２４内に流入して、タンク２４内に貯蔵される洗浄水の量が徐々に増加する。なお、洗浄水は給水路２６からタンク２４内に直接流入することもできる（図示せず。）。すると、給水路２６のボールタップ２６Ａのフロート２６Ｂがタンク２４内に貯蔵された洗浄水の量が増加するのに合わせて上昇する。すると、ボールタップ２６Ａによって給水路２６が閉じ、上水の供給口から給水路２６への洗浄水の供給が停止する。
【００５４】
このように、この便器装置２０は、起立状態の便座２８又は便蓋２９の少なくともいずれかを中間状態で回動を停止することができる。この便器装置２０には、便鉢１１の後側に設けられたケース２１の上端部に手洗い吐水装置Ｓが設けられているため、起立状態の便座２８及び便蓋２９、又は便蓋２９を中間状態で回動を停止することによって、手洗い吐水装置Ｓから便座２８及び便蓋２９、又は便蓋２９を離すことができる。これにより、手洗い吐水装置Ｓで使用者が手を洗う空間を大きくすることができる。また、使用者が手洗い吐水装置Ｓで手を洗った後、再び用便したり、便鉢１１内の洗浄状態を確認したりする場合、中間状態に停止した便座２８及び便蓋２９、又は便蓋２９を起立状態にすることができる。つまり、倒伏状態の便座２８及び便蓋２９、又は便蓋２９を起立状態にするのに比べて、便座２８及び便蓋２９、又は便蓋２９を素早く起立状態にすることができる。
【００５５】
したがって、本発明の便器装置２０は使い勝手が良好である。
【００５６】
＜実施例２＞
実施例２の便器装置１２０は、給水路２６に第１検知部である流量センサ３０が設けられている点、便座１２８の第２軸部２８Ｄの構成、便蓋１２９の第４軸部２９Ｅの構成、支持部本体２１Ｄの第３支持部２１Ｇ及び第４支持部２１Ｈのそれぞれの構成、及び支持部本体２１Ｄの第３支持部２１Ｇ及び第４支持部２１Ｈのそれぞれに第２モータ３２及び第１モータ３１が設けられている点が実施例１と相違する。また、実施例１と同一の構成をなす部分については実施例１と同一の符号を付し、詳細な説明は省略する。
【００５７】
この便器装置１２０は、図１１に示すように、給水路２６の中間部に流量センサ３０が設けられている。流量センサ３０は制御部２７と電気的に接続されている。流量センサ３０は、上水の供給口から供給された洗浄水が給水路２６内を通り、吐水部２５の吐水口２５Ａに向けて流れる給水状態であることを検知した後に、制御部２７に対して、給水状態に対応する信号を与えることができる。つまり、流量センサ３０は手洗い吐水を検知することができる。
【００５８】
便座１２８の第２軸部１２８Ｄは、図１２に示すように、円柱状をなして左側の第１ヒンジ部２８Ｂの右端から右方向に伸びている。第２軸部１２８Ｄは支持部本体２１Ｄの円筒状をなした第４支持部１２１Ｈに回動自在に挿通されている。
【００５９】
また、第４支持部１２１Ｈには、第１モータ３１が設けられている。第１モータ３１は第１モータ本体３１Ａ、及び第１回転軸３１Ｂを具備している。第１モータ３１は第１モータ本体３１Ａを第４支持部１２１Ｈの右端に連結している。また第１モータ３１は第１モータ本体３１Ａの左端面から左方向に第１回転軸３１Ｂが突出して伸びており、第１回転軸３１Ｂの左端部が第２軸部１２８Ｄの右端部に連結している。第１モータ３１は制御部２７と電気的に接続されている。第１モータ３１は制御部２７から与えられる信号に応じて駆動することによって、第２軸部１２８Ｄを回動させて便座１２８を起立状態と倒伏状態との間で回動させることができる。つまり、第１モータ３１は便座１２８を起立状態と倒伏状態との間で回動させることができる。また、使用者が便座１２８に手を掛けて便座１２８を回動させた場合、第１モータ３１は便座１２８の回動を妨げることがない。
【００６０】
便蓋１２９の第４軸部１２９Ｅは、図１３に示すように、円柱状をなして左側の第２ヒンジ部２９Ｃの右端から右方向に伸びている。第４軸部１２９Ｅは、支持部本体２１Ｄの円筒状をなした第３支持部１２１Ｇに回動自在に挿通されている。
【００６１】
また、第３支持部１２１Ｇには第２モータ３２が設けられている。第２モータ３２は第２モータ本体３２Ａ、及び第２回転軸３２Ｂを具備している。第２モータ３２は第２モータ本体３２Ａを第３支持部１２１Ｇの左端に連結している。また第２モータ３２は第２モータ本体３２Ａの左端面から左方向に第２回転軸３２Ｂが突出して伸びており、第２回転軸３２Ｂの左端部が第４軸部１２９Ｅの右端部に連結している。第２モータ３２は制御部２７と電気的に接続されている。第２モータ３２は制御部２７から与えられる信号に応じて駆動することによって、第４軸部１２９Ｅを回動させて便蓋１２９を起立状態と倒伏状態との間で回動させることができる。つまり、第２モータ３２は便蓋１２９を起立状態と倒伏状態との間で回動させることができる。また、使用者が便蓋１２９に手を掛けて便蓋１２９を回動させた場合、第２モータ３２は便蓋１２９の回動を妨げることがない。
【００６２】
次に、この水洗式便器の動作について、図７、８、１１等を参照しつつ説明する。
【００６３】
先ず、使用者が倒伏状態の便蓋１２９に手を掛けて便蓋１２９を第３軸部２９Ｄ及び第４軸部１２９Ｅの中心軸周りに回動させて便蓋１２９を起立状態にする。そして、便座１２８に着座して用便した後、便座１２８から離座する。そして、使用者が洗浄スイッチ２３を操作する。すると、洗浄スイッチ２３から制御部２７に使用者の操作に応じた信号が与えられる。すると、制御部２７から引上げ装置に玉鎖２４Ｆを引き上げる引上げ信号が与えられる。これにより、タンク２４の流出口２４Ｄを閉鎖していたフロート弁２４Ｅが動作して、タンク２４の流出口２４Ｄが開放される。すると、タンク２４内に貯蔵された洗浄水は、タンク２４の流出口２４Ｄから便器本体１０の後部空間１３に流入し、吐水路を介して便鉢１１の表面側に流入する。こうして、便鉢１１を洗浄することができる。この後、制御部２７から引上げ装置に玉鎖２４Ｆを繰り出す繰り出し信号が与えられる。すると、フロート弁２４Ｅがタンク２４の流出口２４Ｄを開放した状態を維持しつつ、引上げ装置から玉鎖２４Ｆが繰り出される。
【００６４】
便鉢１１の洗浄が進み、タンク２４内に貯蔵された洗浄水の量が減少する。すると、給水路２６のボールタップ２６Ａのフロート２６Ｂがタンク２４内に貯蔵された洗浄水の量が減少するのに合わせて下降する。すると、給水路２６が開き、上水の供給口から給水路２６に洗浄水が供給される。そして、上水の供給口から給水路２６に供給された洗浄水は吐水部２５の吐水口２５Ａを介して手洗い鉢２２に吐水される。このとき、給水路２６の流量センサ３０が給水状態であることを検知して、給水状態に対応する信号を制御部２７に与える。すると、制御部２７から第２モータ３２に、便蓋１２９を起立状態から中間状態に回動させる中間状態信号が与えられる。すると、第２モータ３２が駆動して、第４軸部１２９Ｅを回動させて、便蓋１２９を起立状態から中間状態にする（図８参照。）。つまり、流量センサ３０が吐水部２５からの手洗い吐水を検知した後に、便蓋１２９が第２モータ３２によって起立状態から倒伏状態に向けて回動して、中間状態で回動を停止する。そして、吐水部２５の吐水口２５Ａから手洗い鉢２２に吐水される洗浄水で使用者が手を洗うことができる。また、吐水部２５の吐水口２５Ａから手洗い鉢２２に吐水される洗浄水は、手洗い鉢２２の連通路２２Ｂ及びタンク２４の流入口２４Ｃを介してタンク２４内に流入してタンク２４内に貯蔵される。
【００６５】
そして、タンク２４内の洗浄水の量が所定の量より少なくなると、開放されたタンク２４の流出口２４Ｄをフロート弁２４Ｅが再び閉鎖する。すると、タンク２４内に貯蔵された洗浄水の便器本体１０の後部空間１３への流入が止まり、便鉢１１の洗浄が終了する。
【００６６】
そして、吐水部２５の吐水口２５Ａから手洗い鉢２２に吐水された洗浄水がタンク２４内に流入して、タンク２４内に貯蔵される洗浄水の量が徐々に増加する。すると、給水路２６のボールタップ２６Ａのフロート２６Ｂがタンク２４内に貯蔵された洗浄水の量が増加するのに合わせて上昇する。すると、ボールタップ２６Ａによって給水路２６が閉じ、上水の供給口から給水路２６への洗浄水の供給が停止する。このとき、給水路２６の流水センサが給水状態でなくなったことを検知して、給水状態に対応する信号を制御部２７に与えることを止める。すると、制御部２７から第２モータ３２に、便蓋１２９を中間状態から起立状態に回動させる起立状態信号が与えられる。すると、第２モータ３２が駆動して、第４軸部１２９Ｅを回動させて、便蓋１２９を中間状態から起立状態にする（図７参照。）。つまり、吐水部２５からの手洗い吐水が終了したことを流量センサ３０が検知した後に、中間状態に位置する便蓋１２９が第２モータ３２によって回動して起立状態になる。また、起立状態の便蓋１２９は、給水路２６の流量センサ３０が給水状態でなくなったことを検知して所定の時間が経過すると、第２モータ３２によって回動して倒伏状態になる。
【００６７】
また、この説明では便蓋１２９のみを回動させているが、制御部２７によって、便蓋１２９とともに便座１２８も倒伏状態から中間状態、又は起立状態に回動させることもできる（図９、１０参照。）。つまり、流量センサ３０が吐水部２５からの手洗い吐水を検知した後に、便座１２８が第１モータ３１によって起立状態から倒伏状態に向けて回動して、中間状態で回動を停止する。そして、吐水部２５からの手洗い吐水が終了したことを流量センサ３０が検知した後に、中間状態に位置する便座１２８が第１モータ３１によって回動して起立状態になる。そして、起立状態の便座１２８は、吐水部２５からの手洗い吐水が終了したことを流量センサ３０が検知して所定の時間が経過すると、第２モータ３２によって回動して倒伏状態になる。
【００６８】
このように、この便器装置１２０は、起立状態の便座１２８又は便蓋１２９の少なくともいずれかを中間状態で回動を停止することができる。この便器装置１２０には、便鉢１１の後側に設けられたケース２１の上端部に手洗い吐水装置Ｓが設けられているため、起立状態の便座１２８及び便蓋１２９、又は便蓋１２９を中間状態で回動を停止することによって、手洗い吐水装置Ｓから便座１２８及び便蓋１２９、又は便蓋１２９を離すことができる。これにより、手洗い吐水装置Ｓで使用者が手を洗う空間を大きくすることができる。また、使用者が手洗い吐水装置Ｓで手を洗った後、再び用便したり、便鉢１１内の洗浄状態を確認したりする場合、中間状態に停止した便座１２８及び便蓋１２９、又は便蓋１２９を起立状態にすることができる。つまり、倒伏状態の便座１２８及び便蓋１２９、又は便蓋１２９を起立状態にするのに比べて、便座１２８及び便蓋１２９、又は便蓋１２９を素早く起立状態にすることができる。
【００６９】
したがって、本発明の便器装置１２０も使い勝手が良好である。
【００７０】
また、この便器装置１２０は、手洗い吐水を検知する流量センサ３０と、便座１２８及び便蓋１２９を起立状態と倒伏状態との間で回動させる第１モータ３１及び第２モータ３２とを備え、流量センサ３０が手洗い吐水を検知した後に、便座１２８が第１モータ３１によって、便蓋１２９が第２モータ３２によって起立状態から倒伏状態に向けて回動して、中間状態で回動を停止する。このため、この便器装置１２０は、流量センサ３０が手洗い吐水装置Ｓからの吐水を検知することによって、起立状態の便座１２８及び便蓋１２９、又は便蓋１２９を中間状態で停止することができる。つまり、この便器装置１２０は手洗い吐水装置Ｓからの吐水に基づいて、起立状態の便座１２８及び便蓋１２９、又は便蓋１２９を中間状態で停止するため、手洗い吐水装置Ｓからの吐水が開始された初期段階から使用者が手を洗う空間を大きく形成することができる。
【００７１】
また、この便器装置１２０は、手洗い吐水が終了したことを流量センサ３０が検知した後に、中間状態に位置する便座１２８及び便蓋１２９が第１モータ３１及び第２モータ３２によって回動して起立状態になる。このため、この便器装置１２０は手洗い吐水装置Ｓからの吐水に基づいて、中間状態に位置する便座１２８及び便蓋１２９、又は便蓋１２９を起立状態にするため、手洗い吐水装置Ｓからの吐水が開始されて終了するまで、使用者が手を洗う空間を大きくすることができる。これにより、この便器装置１２０は手洗い吐水装置Ｓの機能の使い勝手を良好にすることができる。
【００７２】
＜実施例３＞
実施例３の便器装置２２０は、手洗い鉢２２の上端部の前側に第２検知部である人体検知センサ３３が設けられている点が実施例１及び２と相違する。また、実施例１又は２と同一の構成をなす部分については実施例１又は２と同一の符号を付し、詳細な説明は省略する。
【００７３】
この便器装置２２０は、図１４に示すように、手洗い鉢２２の上端部の前側に人体検知センサ３３が設けられている。人体検知センサ３３は制御部２７と電気的に接続されている。人体検知センサ３３は、例えば、赤外線センサ等で構成されている。人体検知センサ３３は設けられた手洗い鉢２２の上端部から上方に前後左右に拡がるように赤外線Ｎを放射している。人体検知センサ３３は、使用者の体の一部が人体検知センサ３３から放射された赤外線Ｎの領域内に進入すると、人体検知センサ３３から放射された赤外線Ｎの領域内に進入した使用者の体の一部で反射した赤外線Ｎを検知する。これにより、手洗い鉢２２の上方に人体が接近した状態である人体接近状態であることを検知することができる。そして、人体検知センサ３３は制御部２７に対して、人体接近状態に対応する信号を与えることができる。
【００７４】
次に、この水洗式便器の動作について、図７、８、１４等を参照しつつ説明する。実施例１及び２と同一の構成をなす部分については図１を参照する。
【００７５】
先ず、使用者が倒伏状態の便蓋１２９に手を掛けて便蓋１２９を第３軸部２９Ｄ及び第４軸部１２９Ｅの中心軸周りに回動させて便蓋１２９を起立状態にする（図７参照。）。そして、便座１２８に着座して用便した後、便座１２８から離座する。そして、使用者が洗浄スイッチ２３を操作する。すると、洗浄スイッチ２３から制御部２７に使用者の操作に応じた信号が与えられる。すると、制御部２７から引上げ装置に玉鎖２４Ｆを引き上げる引上げ信号が与えられる。これにより、タンク２４の流出口２４Ｄを閉鎖していたフロート弁２４Ｅが動作して、タンク２４の流出口２４Ｄが開放される。すると、タンク２４内に貯蔵された洗浄水は、タンク２４の流出口２４Ｄから便器本体１０の後部空間１３に流入し、吐水路を介して便鉢１１の表面側に流入する。こうして、便鉢１１を洗浄することができる。
【００７６】
便鉢１１の洗浄が進み、タンク２４内に貯蔵された洗浄水の量が減少する。すると、給水路２６のボールタップ２６Ａのフロート２６Ｂがタンク２４内に貯蔵された洗浄水の量が減少するのに合わせて下降する。すると、給水路２６が開き、上水の供給口から給水路２６に洗浄水が供給される。そして、上水の供給口から給水路２６に供給された洗浄水は吐水部２５の吐水口２５Ａを介して手洗い鉢２２に吐水される。そして、使用者が手を洗うために手洗い鉢２２に手を近づける。そして、使用者の手が人体検知センサ３３から放射された赤外線Ｎの領域内に進入すると、人体検知センサ３３が手洗い鉢２２の上方に人体が接近した状態である人体接近状態であることを検知する。つまり、人体検知センサ３３は使用者が吐水部２５からの吐水で手を洗う手洗い動作を検知することができる。すると、人体検知センサ３３が人体接近状態に対応する信号を制御部２７に与える。すると、制御部２７から第２モータ３２に、便蓋１２９を起立状態から中間状態に回動させる中間状態信号が与えられる。すると、第２モータ３２が駆動して、第３軸部２９Ｄ及び第４軸部１２９Ｅを回動させて、便蓋１２９を起立状態から中間状態にする（図８参照。）。つまり、人体検知センサ３３が使用者の手洗い動作を検知した後に、便蓋１２９が第２モータ３２によって起立状態から倒伏状態に向けて回動して、中間状態で回動を停止する。そして、吐水部２５の吐水口２５Ａから手洗い鉢２２に吐水される洗浄水で使用者が手を洗うことができる。
【００７７】
そして、使用者が手を洗い終わり、手洗い鉢２２の上方に位置していた手を手洗い鉢２２の上方から離し、人体検知センサ３３から放射された赤外線Ｎの領域内から離れたことを検知すると、制御部２７に対して与えていた人体接近状態に対応する信号を制御部２７に与えることを止める。すると、制御部２７から第２モータ３２に、便蓋１２９を中間状態から起立状態に回動させる起立状態信号が与えられる。すると、第２モータ３２が駆動して、第４軸部１２９Ｅを回動させて、便蓋１２９を中間状態から起立状態にする（図７参照。）。つまり、使用者が吐水部２５からの手洗い吐水で手を洗う手洗い動作が終了したことを人体検知センサ３３が検知した後に、中間状態に位置する便蓋１２９が第２モータ３２によって回動して起立状態になる。また、起立状態の便蓋１２９は、人体検知センサ３３から放射された赤外線Ｎの領域内から使用者の手が離れたことを検知して、所定の時間が経過すると、第２モータ３２によって回動して倒伏状態になる。
【００７８】
また、この説明では便蓋１２９のみを回動させているが、制御部２７によって、便蓋１２９とともに便座１２８も倒伏状態から中間状態、又は起立状態に回動させることもできる（図９、１０参照。）。つまり、人体検知センサ３３が使用者の手洗い動作を検知した後に、便座１２８が第１モータ３１によって起立状態から倒伏状態に向けて回動して、中間状態で回動を停止する。そして、使用者が吐水部２５からの手洗い吐水で手を洗う手洗い動作が終了したことを人体検知センサ３３が検知した後に、中間状態に位置する便座１２８が第１モータ３１によって回動して起立状態になる。そして、起立状態の便座１２８は、使用者が吐水部２５からの手洗い吐水で手を洗う手洗い動作が終了したことを人体検知センサ３３が検知して所定の時間が経過すると、第２モータ３２によって回動して倒伏状態になる。
【００７９】
このように、この便器装置２２０は、起立状態の便座１２８又は便蓋１２９の少なくともいずれかを中間状態で回動を停止することができる。この便器装置２２０には、便鉢１１の後側に設けられたケース２１の上端部に手洗い吐水装置Ｓが設けられているため、起立状態の便座１２８及び便蓋１２９、又は便蓋１２９を中間状態で回動を停止することによって、手洗い吐水装置Ｓから便座１２８及び便蓋１２９、又は便蓋１２９を離すことができる。これにより、手洗い吐水装置Ｓで使用者が手を洗う空間を大きくすることができる。また、使用者が手洗い吐水装置Ｓで手を洗った後、再び用便したり、便鉢１１内の洗浄状態を確認したりする場合、中間状態に停止した便座１２８及び便蓋１２９、又は便蓋１２９を起立状態にすることができる。つまり、倒伏状態の便座１２８及び便蓋１２９、又は便蓋１２９を起立状態にするのに比べて、便座１２８及び便蓋１２９、又は便蓋１２９を素早く起立状態にすることができる。
【００８０】
したがって、本発明の便器装置２２０も使い勝手が良好である。
【００８１】
また、この便器装置２２０は、使用者が手洗い吐水で手を洗う手洗い動作を検知する人体検知センサ３３と、便座１２８及び便蓋１２９を起立状態と倒伏状態との間で回動させる第１モータ３１及び第２モータ３２とを備え、人体検知センサ３３が使用者の手洗い動作を検知した後に、便座１２８が第１モータ３１によって、便蓋１２９が第２モータ３２によって起立状態から倒伏状態に向けて回動して、中間状態で回動を停止する。このため、この便器装置２２０は、使用者の手洗い動作を人体検知センサ３３で検知することによって、起立状態の便座１２８及び便蓋１２９、又は便蓋１２９を中間位置で停止することができる。これにより、使用者が手を洗わずに再び用便したり、便鉢１１内の洗浄状態を確認したりする場合、中間状態から便座１２８及び便蓋１２９、又は便蓋１２９を起立状態にする手間を要しない。つまり、この便器装置２２０は、使用者が手を洗う場合に便座１２８及び便蓋１２９、又は便蓋１２９を中間状態に停止させることによって、使用者が再び用便したり、便鉢１１内の洗浄状態を確認したりする場合に備えて、便鉢１１の上方の空間を確保することができる。
【００８２】
また、この便器装置２２０は、使用者が手洗い吐水で手を洗う手洗い動作が終了したことを人体検知センサ３３が検知した後に、中間状態に位置する便座１２８が第１モータ３１によって、便蓋１２９が第２モータ３２によって回動して起立状態になる。このため、この便器装置２２０は使用者の手洗い動作を人体検知センサ３３で検知することによって、中間状態に位置する便座１２８及び便蓋１２９、又は便蓋１２９を起立状態にする。つまり、この便器装置２２０は使用者が手を洗う場合にのみ便座１２８及び便蓋１２９、又は便蓋１２９を中間状態に停止させることができる。このため、手洗い吐水装置Ｓで使用者が手を洗った後、再び用便したり、便鉢１１内の洗浄状態を確認したりする場合に備えて、便鉢１１の上方の空間を確保することができる。
【００８３】
＜実施例４＞
実施例４の便器装置３２０は、ケース２１の第４支持部１２１Ｈの近傍に第３検知部である着座センサ３４が設けられている点が実施例１〜３と相違する。また、実施例１〜３と同一の構成をなす部分については実施例１〜３と同一の符号を付し、詳細な説明は省略する。
【００８４】
この便器装置３２０は、図１５に示すように、ケース２１の第４支持部１２１Ｈの近傍に着座センサ３４が設けられている。着座センサ３４は制御部２７と電気的に接続されている。着座センサ３４は、例えば、タクテイルスイッチ等で構成されている。例えば、着座センサ３４は、使用者が便座１２８に着座した状態である場合、制御部２７に対して、使用者が便座１２８に着座した状態としてオフ信号を与え、使用者が便座１２８から離座した状態である場合、制御部２７に対して、使用者が便座１２８から離座した状態としてオン信号を与えることができる。つまり、着座センサ３４は使用者が便座１２８から離座したことを検知することができる。
【００８５】
次に、この水洗式便器の動作について、図７、８、１５等を参照しつつ説明する。実施例１〜３と同一の構成をなす部分については図１を参照する。
【００８６】
先ず、使用者が倒伏状態の便蓋１２９に手を掛けて便蓋１２９を第３軸部２９Ｄ及び第４軸部１２９Ｅの中心軸周りに回動させて便蓋１２９を起立状態にする（図７参照。）。そして、使用者が便座１２８に着座する。すると、着座センサ３４は制御部２７に対して、使用者が便座１２８に着座した状態に対応するオフ信号を与える。
【００８７】
そして、使用者が用便した後、便座１２８から離座すると、着座センサ３４は制御部２７に対して、使用者が便座１２８から離座した状態に対応するオン信号を与える。すると、制御部２７から第２モータ３２に、便蓋１２９を起立状態から中間状態に回動させる中間状態信号が与えられる。すると、第２モータ３２が駆動して、第４軸部１２９Ｅを回動させて、便蓋１２９を起立状態から中間状態にする（図８参照。）。つまり、着座センサ３４が便座１２８から使用者が離座したことを検知した後に、便蓋１２９が第２モータ３２によって起立状態から倒伏状態に向けて回動して、中間状態で回動を停止する。そして、使用者が洗浄スイッチ２３を操作する。すると、洗浄スイッチ２３から制御部２７に使用者の操作に応じた信号が与えられる。すると、制御部２７から引上げ装置に玉鎖２４Ｆを引き上げる引上げ信号が与えられる。これにより、タンク２４の流出口２４Ｄを閉鎖していたフロート弁２４Ｅが動作して、タンク２４の流出口２４Ｄが開放される。すると、タンク２４内に貯蔵された洗浄水は、タンク２４の流出口２４Ｄから便器本体１０の後部空間１３に流入し、吐水路を介して便鉢１１の表面側に流入する。こうして、便鉢１１を洗浄することができる。
【００８８】
便鉢１１の洗浄が進み、タンク２４内に貯蔵された洗浄水の量が減少する。すると、給水路２６のボールタップ２６Ａのフロート２６Ｂがタンク２４内に貯蔵された洗浄水の量が減少するのに合わせて下降する。すると、給水路２６が開き、上水の供給口から給水路２６に洗浄水が供給される。そして、上水の供給口から給水路２６に供給された洗浄水は吐水部２５の吐水口２５Ａを介して手洗い鉢２２に吐水される。そして、吐水部２５の吐水口２５Ａから手洗い鉢２２に吐水される洗浄水で使用者が手を洗うことができる。
【００８９】
ここで、中間状態の便蓋１２９は、着座センサ３４が便座１２８から使用者が離座したことを検知して所定の時間が経過すると、第２モータ３２によって回動して倒伏状態になる。
【００９０】
また、手を洗い終わった使用者が再び便座１２８に着座すると、着座センサ３４は制御部２７に対して、使用者が便座１２８に着座した状態に対応するオフ信号を再び与える。すると、制御部２７から第２モータ３２に、便蓋１２９を中間状態から起立状態に回動させる起立状態信号が与えられる。すると、第２モータ３２が駆動して、第４軸部１２９Ｅを回動させて、便蓋１２９を中間状態から起立状態にする（図７参照。）。つまり、使用者が便座１２８に着座したことを着座センサ３４が検知した後に、中間状態に位置する便蓋１２９が第２モータ３２によって回動して起立状態になる。
【００９１】
このように、この便器装置３２０は、起立状態の便蓋１２９を中間状態で回動を停止することができる。この便器装置３２０には、便鉢１１の後側に設けられたケース２１の上端部に手洗い吐水装置Ｓが設けられているため、起立状態の便蓋１２９を中間状態で回動を停止することによって、手洗い吐水装置Ｓから便蓋１２９を離すことができる。これにより、手洗い吐水装置Ｓで使用者が手を洗う空間を大きくすることができる。また、使用者が手洗い吐水装置Ｓで手を洗った後、再び用便したり、便鉢１１内の洗浄状態を確認したりする場合、中間状態に停止した便蓋１２９を起立状態にすることができる。つまり、倒伏状態の便蓋１２９を起立状態にするのに比べて、便蓋１２９を素早く起立状態にすることができる。
【００９２】
したがって、本発明の便器装置３２０は使い勝手が良好である。
【００９３】
また、この便器装置３２０は、使用者が便座１２８から離座したことを検知する着座センサ３４と、便蓋１２９を起立状態と倒伏状態との間で回動させる第２モータ３２とを備え、着座センサ３４が便座１２８から使用者が離座したことを検知した後に、便蓋１２９が第２モータ３２によって起立状態から倒伏状態に向けて回動して、中間状態で回動を停止する。このため、この便器装置３２０は、使用者が便座１２８から離座したことを着座センサ３４で検知することによって、起立状態の便蓋１２９を中間状態で停止することができる。例えば、手洗い吐水装置Ｓで使用者が手を洗う場合、起立状態の便蓋１２９を中間状態にすることによって、手洗い吐水装置Ｓから便蓋１２９を離すことができる。これにより、この便器装置３２０は手洗い吐水装置Ｓで使用者が手を洗う空間を大きくすることができる。
【００９４】
また、この便器装置３２０は、使用者が便座１２８に着座したことを着座センサ３４が検知した後に、中間状態に位置する便蓋１２９が第２モータ３２によって回動して起立状態になる。このため、この便器装置３２０は、使用者が便座１２８に着座したことを着座センサ３４で検知することによって、中間状態に位置する便蓋１２９を起立状態にすることができる。これにより、手洗い吐水装置Ｓで使用者が再び手を洗う場合に備えて、使用者が手を洗う空間をより長時間確保することができる。
【００９５】
本発明は上記記述及び図面によって説明した実施例に限定されるものではなく、例えば次のような実施例も本発明の技術的範囲に含まれる。
（１）実施例２〜４では、それぞれに流量センサ、人体検知センサ、及び着座センサが設けられているが、これに限らず、これらセンサを所望に応じて併設して、手洗い吐水、使用者の手洗い動作、及び使用者が便座から離座したことの少なくともいずれかの状態を検知した後に便座及び便蓋を起立状態から中間状態にしても良い。
（２）実施例１〜４では、便座及び便蓋を備えているが、これに限らず、便座又は便蓋のいずれか一方を備えていても良い。
（３）実施例２では、流量センサを用いて給水路に洗浄水が流れたことを検知して、便座及び便蓋を中間状態に回動させているが、これに限らず、使用者が洗浄スイッチを操作したことを検知して、便座及び便蓋を中間状態に回動させても良い。
（４）実施例１〜４では洗浄スイッチをケースに設けているが、これに限らず、使用者の操作に応じた信号を制御部に与えることができ、水洗式便器を設置した部屋の壁面に取り付けることができるリモートコントローラーに洗浄スイッチ設けても良い。
（５）実施例３では、手洗い鉢の上端部の前側に人体検知センサが設けられているが、これに限らず、ケースの支持部本体の前端部に人体検知センサを設けても良い。また、人体検知センサを赤外線センサで構成する場合、設けられた支持部本体の前端部から上方に前後左右に拡がるように赤外線を放射させる。また、支持部本体をケースと別体に設け、この支持部本体の前端部に人体検知センサを設けても良い。
【符号の説明】
【００９６】
２８，１２８…便座
２９，１２９…便蓋
３０…流量センサ（第１検知部）
３１，３２…第１モータ、第２モータ（駆動部）
３３…人体検知センサ（第２検知部）
３４…着座センサ（第３検知部）
【図１】
2018053555.tif 000003
【図２】
2018053555.tif 000004
【図３】
2018053555.tif 000005
【図４】
2018053555.tif 000006
【図５】
2018053555.tif 000007
【図６】
2018053555.tif 000008
【図７】
2018053555.tif 000009
【図８】
2018053555.tif 000010
【図９】
2018053555.tif 000011
【図１０】
2018053555.tif 000012
【図１１】
2018053555.tif 000013
【図１２】
2018053555.tif 000014
【図１３】
2018053555.tif 000015
【図１４】
2018053555.tif 000016
【図１５】
2018053555.tif 000017